(57)【要約】      （修正有）【課題】仰向けに倒れるのを防止する安全構造を具有するスイングヒップシートを提供する。【解決手段】主に一つの座席部品１０、一つの台座部品２０、一つの球面部１３，及び一つの仰向けに倒れるのを防止する安全構造３０で構成するスイングヒップシートである。ユーザーが座席部品の一つの鞍型シート１１に座って、自らヒップをスイングする、或いはバランスを保つ動作をすることで、乗馬のような運動効果を得る。更に仰向けに倒れるのを防止する安全構造の中の、各々少なくとも一つの第一磁石３１と第二磁石３２の間の磁気吸引力を介し、座る前に、座席部品の一つの前橋部１５が前向きに傾斜して下に彎曲し、台座部品の少なくとも一つのサポート部２２に近づいて定位し、スイングすることを防止する。ユーザーは前橋部を超えて座席部品に座ることができ、座る際の安全性が増す。【選択図】図７
0003216826.tif 000002
【実用新案登録請求の範囲】
【請求項１】
一つの座席部品、一つの台座部品及び一つの仰向けに倒れるのを防止する安全構造を含み、該座席部品はユーザーがその上に座るための一つの鞍型シートを具有し、該鞍型シートは前から後ろにかけて、順に一つの前橋部、一つの鞍シート及び一つの鞍シート後部を具有し、且つ該鞍型シートの底面の部分に、下向きに突出する一つの球面部を設け、該台座部品を該座席部品の下方に設け、且つ該頂面に少なくとも一つのサポート部を設け、該座席部品の球面部は該台座部品の少なくとも一つのサポート部に可動的に設けることができるため、該座席部品は該球面部が該少なくとも一つのサポート部によって支えられていることで、該台座部品の上で、如何なる方向或いは角度で自由にスイングすることができ、及び、該仰向けに倒れるのを防止する安全構造は互いに対応できる磁気吸引力の少なくとも一つの第一磁石及び少なくとも一つの第二磁石を含み、その中、該少なくとも一つの第一磁石は、該座席部品の球面部の前端内、且つ該前橋部に近づいたところに設置し、該少なくとも一つの第二磁石は該台座部品の少なくとも一つのサポート部内に設置し、
その中、ユーザーが該座席部品の鞍型シートに座るとき、ユーザーはヒップをスイングする或いはバランスを保つ動作を保持することで、乗馬しているような運動の効果を得て、
その中、該仰向けに倒れるのを防止する安全構造の中の、該少なくとも一つの第一磁石と該少なくとも一つの第二磁石の間の磁気吸引力の役割により、該スイングヒップシートの座席部品は、ユーザーが座る前は、該座席部品の前橋部は前向きに傾斜して下に彎曲することができ、且つ該台座部品の少なくとも一つのサポート部に近づいて且つ定位し、自由にスイングすることはなく、ユーザーが座ると、ユーザーのヒップは軽々と該前橋部を超えて該座席部品の鞍シートの上に座るため、座る際の安全性が増すことを特徴とする仰向けに倒れるのを防止する安全構造。
【請求項２】
前記該座席部品の球面部は更に一つの半球面とすることを特徴とする請求項１記載のスイングヒップシートの構造。
【請求項３】
前記該台座部品の頂面上の該少なくとも一つのサポート部は更に一つの平面で構成することを特徴とする請求項１記載のスイングヒップシートの構造。
【請求項４】
前記該少なくとも一つの第二磁石は更に該平面の中心部分に位置することを特徴とする請求項３記載にスイングヒップシートの構造。
【請求項５】
前記該台座部品の少なくとも一つのサポート部は更に三つの球状面突起によって構成し、それぞれ該台座部品の頂面から上向きに等しい高さを突出し、且つ正三角形の排列を形成することで、該座席部品の球面部は該三つの球状面突起の上で可動的に支えることができることを特徴とする請求項１記載のスイングヒップシートの構造。
【請求項６】
前記該座席部品の前橋部の底面は、うち一つの該球状面突起と抵触することを特徴とする請求項５記載のスイングヒップシートの構造。
【請求項７】
前記該少なくとも一つの第二磁石は、更に該前橋部の底面によって押えられている該球状面突起の内部に位置することを特徴とする請求項６記載のスイングヒップシートの構造。
【請求項８】
前記スイングヒップシートは更に一つの仰向けに倒れるのを防止するストッパー構造を設け、該仰向けに倒れるのを防止するストッパー構造は、該座席部品の鞍シート後部の底面と、該台座部品の頂面の間に設けることで、該鞍シート構造が仰向けに一つの角度を傾斜する時に、止められ且つ引き続き後ろに傾斜してスイングするのを防止することを特徴とする請求項１記載のスイングヒップシートの構造。
【請求項９】
前記該仰向けに倒れるのを防止する安全構造に含まれるのは、少なくとも一定の高さを具有する一つの凸部であり、該少なくとも一つの凸部は該座席部品の球面部の後端の該鞍シート後部に近づいた場所、或いは該座席部品の鞍シート後部の底面に、或いは該台座部品の頂面後端に設けることを特徴とする請求項８記載のスイングヒップシートの構造。
【考案の詳細な説明】
【技術分野】
【０００１】
本考案は一種のスイングヒップシートの構造に関し、特に一つの椅子の座面の上、或いは一つの平面の上に置き、ユーザーがその上に座って、自らヒップをスイングして運動することができ、且つ仰向けに倒れるのを防止する安全構造を具有するスイングヒップシートの構造に関する。
【背景技術】
【０００２】
スイングヒップシートの関連分野において、本考案の発明者は既にＵＳ ９，７８８，６５９ Ｂ１、ＤＥ ２０ ２０１６ １０１ ９８６などの特許権(以下従来技術とする)を具有している。しかし、従来技術のスイングヒップシートに、如何なる仰向けに倒れるのを防止する安全構造を具有しておらず、特にユーザーが一つの従来技術のスイングヒップシートの座席部品に座る(跨って座る)際、始め、両足は開いて地面を支えることで、バランスを保つことはできるが(図１７のユーザーの姿勢の如く、しかし、制限しない)、ユーザーのヒップが座席部品に接触して座ると、ユーザーの重心は該座席部品に置くように、自然に後ろに移動する(図１８のユーザーの姿勢の如く、しかし、制限しない)。従来技術のスイングヒップシートの座席部品は、自由にスイングし、且つ随意に止めることができるバランスが取れていない状態にある(図１７の点線が示す座席部品１０の如く、しかし制限されない)。よって、ユーザーが座る過程において、座席部品が自由にスイングするのに連れて後ろにひっくり返り(図１８の矢印Ｅ、Ｄを参照)、そのため、ユーザーが座る際に危険を及ぼすことを鑑みて、更なる改善が必要であった。
【先行技術文献】
【特許文献】
【０００３】
【特許文献１】米国特許第９７８８６５９号公報
【特許文献２】ドイツ特許第２０２０１６１０１９８６号公報
【考案の概要】
【考案が解決しようとする課題】
【０００４】
前記公知構造の欠点を解決するため、本考案はスイングヒップシートの座席部品と台座部品の間に、一つの磁気型仰向けに倒れるのを防止する安全構造を設置することで、ユーザーが該座席部品に座るとき、該座席部品の前橋部は、前向きに傾斜して下に彎曲し、且つ該台座部品の少なくとも一つのサポート部品に近づき且つ定位するため、ユーザーがスイングヒップシートに座る際、仰向けに倒れやすい問題を有効的に解決する、仰向けに倒れるのを防止する安全構造を具有するスイングヒップシートの構造を提供することを主な課題とする。
【課題を解決するための手段】
【０００５】
上述の目的を解決するために、本考案は仰向けに倒れるのを防止する安全構造を具有するスイングヒップシートの構造を提供するものであり、一つの座席部品、一つの台座部品及び一つの仰向けに倒れるのを防止する安全構造を含む。該座席部品はユーザーがその上に座るための一つの鞍型シートを具有し、該鞍型シートは前から後ろにかけて、順に一つの前橋部、一つの鞍シート及び一つの鞍シート後部を具有し、且つ該鞍型シートの底面の部分に、下向きに突出する一つの球面部を設ける。該台座部品を該座席部品の下方に設け、且つ該台座部品の頂面に少なくとも一つのサポート部を設ける。該座席部品の球面部は該少なくとも一つのサポート部に可動的に設けることで、該座席部品は該球面部が該少なくとも一つのサポート部によって支えられているため、該台座部品の上で、如何なる方向或いは角度で自由にスイングすることができる。該仰向けに倒れるのを防止する安全構造は互いに対応できる磁気吸引力の少なくとも一つの第一磁石及び少なくとも一つの第二磁石を含む。その中、該少なくとも一つの第一磁石は、該座席部品の球面部の前端内、且つ該前橋部に近づいたところに設置し、該少なくとも一つの第二磁石は該台座部品の少なくとも一つのサポート部内に設置する。ユーザーが該座席部品の鞍型シートに座るとき、ユーザーはヒップをスイングする或いはバランスを保つ動作を保持することで、乗馬している如く、フィットネスすることができ、また体型を改善する運動の効果を得ることができる。更に該仰向けに倒れるのを防止する安全構造の中の、該少なくとも一つの第一磁石と該少なくとも一つの第二磁石の間の磁気吸引力の役割により、ユーザーが該座席部品に座る前、該座席部品の前橋部は前向きに傾斜して下に彎曲することができ、且つ該台座部品の少なくとも一つのサポート部に近づいて且つ定位し、自由にスイングすることはできず、よって、ユーザーのヒップは軽々と該前橋部を超えて該座席部品に座るため、座る際の安全性が増す。
【考案の効果】
【０００６】
本考案の構造により、ユーザーが自らヒップをスイングすると同時に、バランスを保つ動作を保持することで、乗馬している如く、フィットネスすることができ、また体型を改善する運動の効果を得ることができる。更に少なくとも一つの第一磁石と少なくとも一つの第二磁石を設けることにより、磁気同士の磁気吸引力の役割を介し、ユーザーが該座席部品に座る前に、該座席部品の一つの前橋部は前向きに傾斜して下に彎曲することができ、且つ該台座部品の少なくとも一つのサポート部に近づいて且つ定位し、自由にスイングすることはできず、よって、ユーザーのヒップは軽々と該前橋部を超えて該座席部品に座るため、座る際の安全性が増す。
【図面の簡単な説明】
【０００７】
【図１】本考案の第一実施例の立体略図である。
【図２】図１に示す実施例の分解立体略図である。
【図３】図２の座席部品の俯瞰略図である。
【図４】図２の台座部品の俯瞰略図である。
【図５】図１に示す実施例の使用状態立体略図である。
【図６】図１に示す実施例の別の角度であり、且つ更に仰向けに倒れるのを防止するストッパー構造の立体略図である。
【図７】図６に示す実施例の側視略図である。
【図８】図７に示す実施例は、一つの運動状態にある側視略図である。
【図９】図７の仰向けに倒れるのを防止するストッパー構造の別の一つの実施例の側視略図である。
【図１０】図７に示す実施例を直立してユーザーが持つ状態の側視略図である。
【図１１】本考案のスイングヒップシートの第二実施例の立体略図である。
【図１２】図１１に示す実施例の分解立体略図である。
【図１３】図１１に示す実施例の使用状態立体略図である。
【図１４】図１１に示す実施例の別の角度であり、且つ更に仰向けに倒れるのを防止するストッパー構造の立体略図である。
【図１５】図１４に示す実施例の側視略図である。
【図１６】図１５に示す実施例が、一つの運動状態にある側視略図である。
【図１７】本考案のスイングヒップシートにユーザーが座る前の側視略図である。
【図１８】本考案のスイングヒップシートにユーザーが座った後の側視略図である。
【考案を実施するための形態】
【０００８】
以下、本考案の構造と特徴および効果を、最良実施例と図面を参照しながら詳細に説明する。各図は本考案の構造関係及び関連する機能を説明するもののみであり、各部品のサイズは実際の比例に基づき設置しているものではなく、且つ本考案を制限するものではない。
【実施例１】
【０００９】
図１から図１８に示すように、本考案は一種の仰向けに倒れるのを防止する安全構造のスイングヒップシート１であり、それに含まれるのは一つの座席部品１０、一つの台座部品２０及び一つの仰向けに倒れるのを防止する安全構造３０である。
【００１０】
該座席部品１０はユーザーがその上に座るための一つの鞍型シート１１を具有し、該鞍型シート１１は前から後ろにかけて、順に一つの前橋部１５、一つの鞍シート１６及び一つの鞍シート後部１７を具有し、且つ該鞍型シート１１の底面１２の部分に、下向きに突出する一つの球面部１３を設ける。図６、図１４に示すように、該球面部１３は更に一つの半球面１４の形状とする。図５、図１３に示すように、該座席部品１０の鞍型シート１１は枕シート或いは革カバーなど、更に一つの軟質部品５０を覆うことで、ユーザーが座る際の心地よさを増す。
【００１１】
該台座部品２０を該座席部品１０の下方に設け、且つ該頂面２１に少なくとも一つのサポート部２２を設ける。該座席部品１０の球面部１３は該台座部品２０の少なくとも一つのサポート部２２に可動的に設けることができるため、該座席部品１０は該球面部１３が該少なくとも一つのサポート部２２によって支えられていることで、該台座部品２０の上で、如何なる方向或いは角度で自由にスイングすることができる。この他、該台座部品２０の底面２６は一つの平面とするが、それによって制限されず、図５、図１３に示すように、安定して一つの座椅子２の座面、或いは一つの平坦面に置くことはできるが、それによって制限されず、スイングヒップシート１を使用する便利性及び使用する効果をアップする。
【００１２】
該座席部品１０の球面部１３は、該台座部品２０の少なくとも一つのサポート部２２の上に、可動的に支えられて設けることができ、よって該座席部品１０は該台座部品２０の少なくとも一つのサポート部２２の上で、前、後、左、右の３６０度の任意な方向、或いは角度に自由にスイングすることができる。図７から図９及び図１５から図１６を例に上げて説明する。該球面部１３の中心軸Ａは図７、図１５に示すように、該台座部品２０に相対して前向きに傾斜する状態にすることができ(例えば該座席部品１０の前橋部１５を該台座部品２０に近づける)、図８、９、１６の矢印Ｂが示すように、如何なる方向或いは角度に自由にスイングするが、スイングする方向或いは角度或いはスイング幅を制限するためではなく、該球面部１３の中心軸Ａを図８、９、１６に示すように、該台座部品２０に相対して後ろに傾斜する状態でスイングする(該座席部品１０の鞍シート後部１７を該台座部品２０に近づけるように)。その中、該矢印Ｂを図８、９、１６に、該座席部品１０に相対する方向に書いてあるのは、図７、１５の該球面部１３の中心軸Ａの円周３６０度の中の一つの方向或いは角度を代表するのに用いるのみである。つまり、該鞍型シート１１に座るユーザーのヒップは、ユーザーの前、後、左、右の円周３６０度の中の、如何なる方向にスイングすることができ、図７、１５に示す位置から図８、９、１６に示す位置までスイングし、且つスイングする幅の大きさは、ユーザーが制御することができる。該座席部品１０が該台座部品２０の少なくとも一つのサポート部２２からさえ離脱しなければ良い。
【００１３】
ユーザーが該座席部品１０の鞍型シート１１に座るとき、該球面部１３と該少なくとも一つのサポート部２２との間のサポート及びスイングの関係を介し、ユーザーは該台座部品２０に相対して前、後、左、右の円周の如何なる方向或いは角度に自由にスイングすることができ、且つユーザーが自らヒップをスイングすると同時に、バランスを保つ動作を保持することで、乗馬している如く、フィットネスすることができ、また体型を改善する運動の効果を得ることができる。
【００１４】
該仰向けに倒れるのを防止する安全構造３０は互いに対応できる磁気吸引力の少なくとも一つの第一磁石３１及び少なくとも一つの第二磁石３２を含む。その中、該少なくとも一つの第一磁石３１は、該座席部品１０の球面部１３の前端内、且つ該前橋部１５に近づいたところに設置し、該少なくとも一つの第二磁石３２は該台座部品２０の少なくとも一つのサポート部２２内に設置する。
【００１５】
該仰向けに倒れるのを防止する安全構造３０の中の、該少なくとも一つの第一磁石３１と該少なくとも一つの第二磁石３２の間の磁気吸引力の役割により、該スイングヒップシート１の座席部品１０は、ユーザーが座る前は図１７に示す通りであり、該座席部品１０の前橋部１５は前向きに傾斜して下に彎曲することができ、且つ該台座部品２０の少なくとも一つのサポート部２２に近づいて且つ定位し、自由にスイングすることはない(図５から図７を参照)。ユーザーが座ると、ユーザーのヒップは後ろ向きに移動することができ、且つ軽々と該前橋部１５を超えて該座席部品１０の鞍シート１６の上に座るため、座る際の安全性が増す。
【００１６】
図１から図１０に示すのは、本考案のスイングヒップシート１の第一実施例である。本実施例は該台座部品２０の頂面２１の上に、更に一つの平面２４を形成し、該少なくとも一つのサポート部２２とするが、それによって制限されない。本実施例において、該少なくとも一つの第一磁石３１を該座席部品１０の球面部１３の前端内、且つ該前橋部１５に近い場所に設置する。該少なくとも一つの第二磁石３２は更に該平面２４の中心部、図４に示すように、中心軸Ａの下(内部)に位置する場所に嵌めて設置するが、それによって制限されない。それにより、該座席部品１０の前橋部１５は、該少なくとも一つの第一磁石３１と該平面２４の中心部Ａ内部に設置する該少なくとも一つの第二磁石３２との間の磁気吸引力の役割により、該前橋部１５は該平面２４の中心部Ａにて前に傾斜して下に彎曲し、且つ該平面２４の中心部Ａに近づき且つ定位する。使用時該座席部品１０がスイングをする際にも尚、該平面２４の中心部Ａに定位するのを保持することができ、随意にずれる、或いは該台座部品２０から離れることがなく、それにより該スイングヒップシート１の使用効率を増す。
【００１７】
該台座部品２０は更にポリエチレン(ＰＥ，ＰＯＬＹＥＴＨＹＬＥＮＥ)の材料で作られるが、それによって制限されない。座席部品１０の球面部１３(半球面１４)が該平面２４に接触且つ抵触する際、該平面２４の接触エリアはやや窪むことで、該球面部１３(半球面１４)と該平面２４の間は、ポリエチレンの材料を介し、適切な滑らかさ或いは摩擦力が生まれるため、該座席部品１０が該台座部品２０にて多方向にスイングする際、尚も該平面２４の中心部Ａに定位し、随意に該台座部品２０から滑る或いは離れることはない。本実施例において、仮に該台座部品２０或いは該平面２４に高い滑らかさを具有する場合、摩擦力が大変小さいとき、剛性の金属材料或いは硬質の木板で作られると、該座席部品１０は該台座部品２０にて多方向にスイングすると、該座席部品１０は該平面２４の中心部Ａに定位を保つのはできない、或いは容易ではなく、該台座部品２０から随意に滑る或いは離れることが多々有り、使用するとき困る、或いは危険である。
【００１８】
図４、図１０に示すように、該台座部品２０の該台座部品２０の縁に近い部分に、更に一つの把持部２５を設けるが、それに制限されない。該把持部２５は貫通する一つの長い穴であり、該座席部品１０と該台座部品２０は互いに磁気吸引している際、ユーザーは直接該スイングヒップシート１を図１０に示すように、手に持つ或いは携帯することができる。
【実施例２】
【００１９】
図１１から図１６に示すのは、本考案のスイングヒップシート１の第二実施例である。本実施例は該台座部品２０の頂面２１にて更に三つの半球状面の突起２３を利用し、該少なくとも一つのサポート部２２とするが、それによって制限されない。該三つの半球状面突起２３はそれぞれ該台座部品２０の頂面２１から上向きに等しい高さを突出し、且つ該頂面２１の上に正三角形の排列を形成することで、該座席部品１０の球面部１３(半球面１４)は該三つの球状面突起の間で可動し、且つ安定或いは支えることができる。
【００２０】
図１１、図１５に示すように、該座席部品１０の前橋部１５の底面は、うちの一つの球状面突起２３に抵触している。該少なくとも一つの第二磁石３２は更に該前橋部１５の底面によって抑えられている該球状面の突起２３の内部に位置しているが、それによって制限されない。該座席部品１０の前橋部１５は該少なくとも一つの第一磁石３１を介し、該球状面の突起２３内部に設ける該少なくとも一つの第二磁石３２と磁気吸引することで、該前橋部１５は該球状面の突起２３の上で前向きに傾斜して下に彎曲し、且つ該球状面の突起２３に近づき、定位する。
【００２１】
図６、図７から図９及び図１４から図１６に示すように、該スイングヒップシート１は更に一つの仰向けに倒れるのを防止するストッパー構造４０を設けるが、それによって制限されない。該仰向けに倒れるのを防止するストッパー構造４０は、該座席部品１０の鞍シート後部１７の底面と該台座部品２０の頂面２１の間に設けることで、該鞍シート後部１７は後ろ向きに一つの予定(臨界)角度に傾斜したあと、直ちに止められるため、引き続き後ろに傾斜するのを防止する、図８、図９、図１６を参照。よって、ユーザーが該スイングヒップシート１に座る、或いは使用時に仰向けに倒れる危険を避ける或いは減少する。この他、該仰向けに倒れるのを防止するストッパー構造４０は、少なくとも一定の高さを具有する凸部４１を含む。その中、該少なくとも一つの凸部４１は一体成型の方法を用いて、該座席部品１０の底面に結合する、図６、図９及び図１４から図１６を参照。この他、該少なくとも一つの凸部４１はまた、別の一つの部品を作成することができ、その他の組立て方、例えばロック方法を用いて、該座席部品１０の底面に設ける(図６から図９及び図１４から図１６を参照)。この他、図９に示すように、該少なくとも一つの凸部４１は同じく、該台座部品２０の頂面２１に設置する。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  スイングヒップシート
１０  座席部品
１１  鞍型シート
１２  底面
１３  球面部
１４  半球面
１５  前橋部
１６  鞍シート
１７  鞍シート後部
２０  台座部品
２１  頂面
２２  サポート部
２３  突起
２４  平面
２５  把持部
２６  底面
３０  仰向けに倒れるのを防止する安全構造
３１  第一磁石
３２  第二磁石
４０  仰向けに倒れるのを防止するストッパー構造
４１  凸部
５０  軟質件
２   座椅子
【図１】
0003216826.tif 000003
【図２】
0003216826.tif 000004
【図３】
0003216826.tif 000005
【図４】
0003216826.tif 000006
【図５】
0003216826.tif 000007
【図６】
0003216826.tif 000008
【図７】
0003216826.tif 000009
【図８】
0003216826.tif 000010
【図９】
0003216826.tif 000011
【図１０】
0003216826.tif 000012
【図１１】
0003216826.tif 000013
【図１２】
0003216826.tif 000014
【図１３】
0003216826.tif 000015
【図１４】
0003216826.tif 000016
【図１５】
0003216826.tif 000017
【図１６】
0003216826.tif 000018
【図１７】
0003216826.tif 000019
【図１８】
0003216826.tif 000020
【手続補正書】
【提出日】平成30年4月24日(2018.4.24)
【手続補正１】
【補正対象書類名】実用新案登録請求の範囲
【補正対象項目名】全文
【補正方法】変更
【補正の内容】
【実用新案登録請求の範囲】
【請求項１】
一つの座席部品、一つの台座部品及び一つの仰向けに倒れるのを防止する安全構造を含み、該座席部品はユーザーがその上に座るための一つの鞍型シートを具有し、該鞍型シートは前から後ろにかけて、順に一つの前橋部、一つの鞍シート及び一つの鞍シート後部を具有し、且つ該鞍型シートの底面の部分に、下向きに突出する一つの球面部を設け、該台座部品を該座席部品の下方に設け、且つ頂面に少なくとも一つのサポート部を設け、該座席部品の球面部は該台座部品の少なくとも一つのサポート部に可動的に設けることができるため、該座席部品は該球面部が該少なくとも一つのサポート部によって支えられていることで、該台座部品の上で、如何なる方向或いは角度で自由にスイングすることができ、及び、該仰向けに倒れるのを防止する安全構造は互いに対応できる磁気吸引力の少なくとも一つの第一磁石及び少なくとも一つの第二磁石を含み、その中、該少なくとも一つの第一磁石は、該座席部品の球面部の前端内、且つ該前橋部に近づいたところに設置し、該少なくとも一つの第二磁石は該台座部品の少なくとも一つのサポート部内に設置し、
その中、ユーザーが該座席部品の鞍型シートに座るとき、ユーザーはヒップをスイングする或いはバランスを保つ動作を保持することで、乗馬しているような運動の効果を得て、
その中、該仰向けに倒れるのを防止する安全構造の中の、該少なくとも一つの第一磁石と該少なくとも一つの第二磁石の間の磁気吸引力の役割により、スイングヒップシートの座席部品は、ユーザーが座る前は、該座席部品の前橋部は前向きに傾斜して下に彎曲することができ、且つ該台座部品の少なくとも一つのサポート部に近づいて且つ定位し、自由にスイングすることはなく、ユーザーが座ると、ユーザーのヒップは軽々と該前橋部を超えて該座席部品の鞍シートの上に座るため、座る際の安全性が増すことを特徴とする仰向けに倒れるのを防止する安全構造を具有するスイングヒップシート。
【請求項２】
前記該座席部品の球面部は更に一つの半球面とすることを特徴とする請求項１記載のスイングヒップシート。
【請求項３】
前記該台座部品の前記頂面上の該少なくとも一つのサポート部は更に一つの平面で構成することを特徴とする請求項１記載のスイングヒップシート。
【請求項４】
前記該少なくとも一つの第二磁石は更に該平面の中心部分に位置することを特徴とする請求項３記載にスイングヒップシート。
【請求項５】
前記該台座部品の少なくとも一つのサポート部は更に三つの球状面突起によって構成し、それぞれ該台座部品の前記頂面から上向きに等しい高さを突出し、且つ正三角形の排列を形成することで、該座席部品の球面部は該三つの球状面突起の上で可動的に支えることができることを特徴とする請求項１記載のスイングヒップシート。
【請求項６】
前記該座席部品の前橋部の底面は、うち一つの該球状面突起と抵触することを特徴とする請求項５記載のスイングヒップシート。
【請求項７】
前記該少なくとも一つの第二磁石は、更に該前橋部の底面によって押えられている該球状面突起の内部に位置することを特徴とする請求項６記載のスイングヒップシート。
【請求項８】
前記スイングヒップシートは更に一つの仰向けに倒れるのを防止するストッパー構造を設け、該仰向けに倒れるのを防止するストッパー構造は、該座席部品の鞍シート後部の底面と、該台座部品の前記頂面の間に設けることで、該鞍シート構造が仰向けに一つの角度を傾斜する時に、止められ且つ引き続き後ろに傾斜してスイングするのを防止することを特徴とする請求項１記載のスイングヒップシート。
【請求項９】
前記該仰向けに倒れるのを防止する安全構造に含まれるのは、少なくとも一定の高さを具有する一つの凸部であり、該少なくとも一つの凸部は該座席部品の球面部の後端の該鞍シート後部に近づいた場所、或いは該座席部品の鞍シート後部の底面に、或いは該台座部品の前記頂面後端に設けることを特徴とする請求項８記載のスイングヒップシート。